(57)【要約】【課題】電子機器において、チャイルドロックの機能を備えつつ、使用者の利便性を高める技術を提供する。【解決手段】電子機器は、筐体の左側面と右側面に、人体が筐体の各側面に接触している範囲を検出するためのグリップセンサを備える。電子機器は、チャイルドロックモードへ移行する機能を備え、各グリップセンサの検出結果に基づいて、筐体の各側面が、同時に、各側面で一定面積以上の範囲で人体と接触している場合にチャイルドロックモードを解除する。大人が電子機器を保持する場合は、筐体の各側面のそれぞれが一定面積以上ユーザの手と接触するが、幼児が片手または両手で保持しても各側面の少なくともいずれか一方は一定面積以上接触しないことにより、電子機器は、筐体を幼児が保持していることを検知する。【選択図】図４
2015156553.tif 000002
【特許請求の範囲】
【請求項１】
電子機器であって、
筐体と、
入力操作を受け付けるための操作受付部と、
前記筐体の両側面に配置され、前記配置された領域において前記筐体への人体の接触を検出する接触部と、
前記電子機器の動作を制御する制御部とを備え、
前記制御部は、
前記接触部の検出結果に基づいて、前記接触部において人体が接触している範囲を算出する接触検知部と、
前記電子機器への前記入力操作を制限するロックモードへ移行させるか否かを制御する動作モード設定部とを含み、
前記動作モード設定部は、前記接触検知部の算出結果に基づいて、前記筐体の各側面が、同時に、各側面で一定面積以上の範囲で人体と接触しているか否か判定し、判定結果に基づいて、前記ロックモードへの移行および前記ロックモードの解除を行う、電子機器。
【請求項２】
前記制御部は、
前記筐体の各側面が、同時に、各側面で一定面積以上の範囲で人体と接触している間に、前記操作受付部により受け付けた入力操作の内容が前記ロックモードを解除する操作である場合に前記ロックモードを解除する、請求項１に記載の電子機器。
【請求項３】
前記制御部は、
前記筐体の各側面が、同時に、各側面で一定面積以上の範囲で人体と接触している間に、前記操作受付部による入力操作に応じた処理を行う、請求項２に記載の電子機器。
【請求項４】
前記動作モード設定部は、
前記筐体の各側面が、同時に、各側面で一定面積以上の範囲で人体と接触していると判定される場合に前記ロックモードを解除し、少なくともいずれかの側面において人体が接触している範囲が一定面積以下であると判定される場合に前記ロックモードへ移行する、請求項１に記載の電子機器。
【請求項５】
前記動作モード設定部が前記接触検知部の算出結果に基づいて前記筐体の各側面が同時に各側面で一定面積以上の範囲で人体と接触しているか否か判定することには、前記筐体の各側面で、統計的に得られる一定年齢以上の人の手幅の大きさに基づく面積以上の範囲で人体と接触しているか否かを判定することを含む、請求項１から４のいずれか１項に記載の電子機器。
【発明の詳細な説明】
【技術分野】
【０００１】
本開示は、電子機器の誤動作を防止するためにユーザの入力操作を制限する技術に関し、特に、幼児による入力操作を制限するための技術に関する。
【背景技術】
【０００２】
スマートフォンなどの電子機器には、通常、電子機器に記憶される電話帳、メール、写真などの情報を第三者に無断で閲覧されることのないよう、画面をロックすることでセキュリティを実現しているものがある。ユーザは、例えばパスコードの入力、タッチパネルに一定の軌跡を描くことその他の操作により、セキュリティのためのロックを解除することができる。
【０００３】
また、近年、幼児が電子機器に触れる場面を想定し、特定の入力手順で電子機器への入力操作を制限し、その後、一定の入力手順で電子機器への入力操作を有効にする技術（チャイルドロック）が知られている。一定の入力手順としては、例えば、電子機器の特定のボタンを長押しする等である。例えば、大人でなければ操作が困難な入力手順が電子機器に記憶されており、ユーザは、この入力手順を経ることで電子機器のチャイルドロックを解除することができる。例えば、ユーザは、チャイルドロック機能により、電子機器への入力操作を制限しつつ、ビデオ再生などの機能を実行して幼児に動画を鑑賞させつつ、幼児が大人の意図しないうちに電子機器のタッチパネルなどの入力手段を操作して誤動作を引き起こす事態を回避することができる。
【０００４】
しかし、チャイルドロック機能への移行およびチャイルドロック機能の解除に要する入力手順が複雑でない場合、幼児にもチャイルドロック機能が解除され、電子機器を誤操作されるおそれがある。また、チャイルドロック機能の移行に伴う入力手順が複雑すぎると、大人にとってもチャイルドロック機能の解除が容易でなくなる。下記の特許文献１（特開２００３−１６３７３９号公報）は、携帯電話装置の操作者が子供等の特定人である場合に操作を制限する技術を記載している。特許文献１の技術は、操作者が携帯電話装置を操作する際に、センサー部で操作者が携帯電話装置を手に持ったときの接触部位・面積などに関する接触情報を感知して取得する。携帯電話装置は、その接触情報と、子供が携帯電話装置を手に持っているときの接触部位・面積などをパターン化したパターン情報とを比較する。携帯電話装置は、パターン情報の中に接触情報と似ているものが存在するか否かを判別することにより、操作者が子供であるか否かを識別し、操作者が子供の場合は操作を制限する。
【先行技術文献】
【特許文献】
【０００５】
【特許文献１】特開２００３−１６３７３９号公報
【特許文献２】特開２００４−２５９１０７号公報
【特許文献３】特開２００８−２４４６９０号公報
【特許文献４】特開２０１１−２１７１４９号公報
【発明の概要】
【発明が解決しようとする課題】
【０００６】
しかし、特許文献１に記載された技術によると、子供の持ち方で大人も携帯電話装置を持つことが可能であるため、携帯電話装置のユーザが子供の接触パターンと似た持ち方をした場合に、誤って携帯電話装置に操作制限が適用される。
【０００７】
したがって、チャイルドロックの機能を備えつつ、使用者にとって利便性の高い電子機器が必要とされている。
【課題を解決するための手段】
【０００８】
一実施形態に従う電子機器は、筐体と、入力操作を受け付けるための操作受付部と、筐体の両側面に配置され、配置された領域において筐体への人体の接触を検出する接触部と、電子機器の動作を制御する制御部とを備える。制御部は、接触部の検出結果に基づいて、接触部において人体が接触している範囲を算出する接触検知部と、電子機器への入力操作を制限するロックモードへ移行させるか否かを制御する動作モード設定部とを含む。動作モード設定部は、接触検知部の算出結果に基づいて、筐体の各側面が、同時に、各側面で一定面積以上の範囲で人体と接触しているか否か判定し、判定結果に基づいて、ロックモードへの移行およびロックモードの解除を行う。
【発明の効果】
【０００９】
上記一実施形態によると、一定面積以上の人体の接触を電子機器が検出したか否かに応じて、電子機器の入力操作を制限するか否かを制御する。そのため、例えばユーザが日に何度もチャイルドロックと通常使用とを行う場合に、筐体への人体の接触という簡単な操作でチャイルドロック機能を解除することができ、ユーザの利便性が向上する。
【００１０】
この発明の上記および他の目的、特徴、局面および利点は、添付の図面と関連して理解されるこの発明に関する次の詳細な説明から明らかとなるであろう。
【図面の簡単な説明】
【００１１】
【図１】実施の形態１の電子機器１００の外観を示す図である。
【図２】電子機器１００の機能的な構成を示すブロック図である。
【図３】ユーザが電子機器１００の筐体を手で把持する例を示す図である。
【図４】電子機器１００が各グリップセンサの出力結果に基づきチャイルドロックモードの解除を行う処理を示すフローチャートである。
【図５】電子機器１００が入力操作を受け付けた場合にチャイルドロックを解除するか否かを制御する処理を示すフローチャートである。
【図６】電子機器１００が把持された状態で入力操作を受け付けた場合に、操作内容に応じて通常の入力操作に応じた処理またはチャイルドロックを解除する処理を行うフローチャートである。
【発明を実施するための形態】
【００１２】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１３】
＜電子機器１００の外観＞
図１は、実施の形態１の電子機器１００の外観を示す図である。図１（Ａ）は、電子機器１００の正面図である。図１（Ｂ）は、電子機器１００の背面図である。図１に示すように、電子機器１００は、正面にタッチパネル１４１、ディスプレイ１４２を備える。電子機器１００の筐体に、ディスプレイ１４２、タッチパネル１４１、カバーガラスが積層されてはめ込まれている。タッチパネル１４１は、ユーザの接触操作を検出する。ディスプレイ１４２は、映像信号に基づきアイコン、静止画、動画、映像を表示する。スピーカ１４８は、音声を出力する。操作受付部１４９は、物理的なキーであり、ユーザによるキーへの入力操作を受け付ける。
【００１４】
図１（Ａ）および図１（Ｂ）に示すように、電子機器１００は、筐体の側面に、人体の接触を検出する接触センサ（グリップセンサ１５１、グリップセンサ１５２、グリップセンサ１５３、グリップセンサ１５４）を備える。図１（Ａ）の例では、正面図において、電子機器１００の筐体の左側面にグリップセンサ１５１とグリップセンサ１５２とが上下方向に一列に配置され、右側面にグリップセンサ１５３とグリップセンサ１５４とが一列に配置される。各グリップセンサは、例えば静電容量方式のタッチセンサ、圧力の変化を検出するセンサ、電気抵抗の変化、または温度の変化を検知することでグリップセンサへの人体の接触を検知する。
【００１５】
電子機器１００の筐体の大きさは、大人が片手で握ったときに、電子機器１００の筐体の一方の側面を、ユーザの親指の付け根と親指全体で保持することを必要とし、もう一方の側面を、ユーザの他の四本の指で保持することを必要とする大きさである。電子機器１００は、各グリップセンサの出力結果に基づきユーザが各グリップセンサに触れている範囲（面積）を算出し、筐体の左側面と右側面のいずれの側面においても指四本分の接触面積を超えている場合に、ユーザが片手で握っていると判定する。
【００１６】
電子機器１００は、幼児が電子機器１００を手で保持した場合に、幼児が片手では握れないような横幅の筐体を有している。また、幼児が両手で電子機器１００を保持したとしても大人の手との大きさとの違いにより、両手であっても各グリップセンサ全体を覆えないようにグリップセンサ１５１、グリップセンサ１５２、グリップセンサ１５３およびグリップセンサ１５４を電子機器１００に配置している。
【００１７】
電子機器１００は、筐体の左側面と右側面の少なくともいずれかの側面において、ユーザの接触面積が一定面積以下である場合に、大人ではなく幼児の手が触れていると判断する。
【００１８】
大人の手の大きさと幼児の手の大きさとは、統計によりおおよその大きさが知られている。例えば、５歳〜６歳児の指尖・指節点距離は、６１ｍｍ程度である。したがって、電子機器１００の筐体の横幅を、統計的な５歳〜６歳児の指尖・指節点距離よりも大きくすることで、電子機器１００を幼児が片手で握ることが困難な装置とすることができる。また、統計的には、大人の手幅は７７ｍｍ程度であり、５歳〜６歳児の手幅が５６ｍｍ程度であることから、電子機器１００の左右の側面部が両方とも同時に７７ｍｍ以上接触されたことが各グリップセンサの出力結果に基づき判定された場合に、大人が電子機器１００の筐体を片手で持っていることを判別することができる。なお、人体の寸法の統計的な情報としては、独立行政法人  産業技術総合研究所のデータベース「ＡＩＳＴ（National  Institute  of  Advanced  Industrial  Science  and  Technology）人体寸法データベース 1991-92」、一般社団法人  人間生活工学研究センターの「人間特性データベース」などがある。
【００１９】
＜チャイルドロック機能＞
電子機器１００は、幼児が電子機器１００のタッチパネル１４１、操作受付部１４９等を操作することで、ユーザが意図しない操作が行われるのを避けるために、電子機器１００への入力操作を制限するチャイルドロック機能を有する。チャイルドロック機能を電子機器１００に発揮させる場合、電子機器１００は、動作モードをチャイルドロックモードにして、チャイルドロック機能を解除する入力操作があるまでユーザの入力操作を制限する。例えば、チャイルドロック機能が有効である場合、電子機器１００は、電話機能やメール機能などの一定の機能を制限する。電子機器１００は、例えば電源ボタンを一定時間押下する、操作受付部１４９を長押しする、タッチパネル１４１において解除のための一連の軌跡を入力する操作を受け付けるなど、ユーザによる一定の入力操作を受け付けることでチャイルドロックモードへ移行し、チャイルドロックモードを解除する。
【００２０】
ここで、電子機器１００は、各グリップセンサの検出結果に基づき、大人が電子機器１００を把持していると判定した場合は、タッチパネル１４１、操作受付部１４９等の入力手段への操作を有効とするが、大人ではなく幼児が電子機器１００を把持していると判定した場合は、チャイルドロック機能により入力手段への入力操作を無効とする。電子機器１００は、大人が電子機器１００を把持していると判定した間だけ、一時的にタッチパネル１４１、操作受付部１４９等の入力手段への入力操作を有効にしてもよいし、グリップセンサの検出結果に基づき大人が電子機器１００を把持していると判定した場合にチャイルドロック機能そのものを解除して、チャイルドロック機能による動作の制限がない通常の使用状態にしてもよい。
【００２１】
＜電子機器１００の機能的な構成＞
図２は、電子機器１００の機能的な構成を示すブロック図である。図２に示すように、電子機器１００は、複数のアンテナ（アンテナ１０１、アンテナ１０２）と、アンテナに対応する無線通信部１１１と、記憶部１４０と、タッチパネル１４１と、ディスプレイ１４２と、電源制御部１４４と、バッテリ１４５と、音声処理部１４６と、マイク１４７と、スピーカ１４８と、操作受付部１４９と、接触センサ部１５０と、制御部１６０とを含む。接触センサ部１５０は、グリップセンサ１５１と、グリップセンサ１５２と、グリップセンサ１５３と、グリップセンサ１５４とを含む。
【００２２】
アンテナ１０１とアンテナ１０２とは、電子機器１００が発する信号を電波として放射する。また、アンテナ１０１とアンテナ１０２とは、空間から電波を受信して受信信号を無線通信部１１１へ与える。本実施形態では、電子機器１００は、複数の無線通信規格に対応している。通信方式として、ＰＨＳ（Personal  Handy-phone  System）、Ｗ−ＣＤＭＡ（Wideband  Code  Division  Multiple  Access）、ＬＴＥ（Long  Term  Evolution）、ＧＳＭ（登録商標）（global  system  for  mobile  communications）その他の通信方式がある。また、電子機器１００は、ＩＥＥＥ（Institute  of  Electrical  and  Electronic  Engineers）８０２．１１などの無線ＬＡＮ規格にも対応する。
【００２３】
無線通信部１１１は、電子機器１００が他の無線機器と通信するため、アンテナ１０１等を介して信号を送受信するための変復調処理などを行う。無線通信部１１１は、チューナー、ＲＳＳＩ（Received  Signal  Strength  Indicator）算出回路、ＣＲＣ（Cyclic  Redundancy  Check）算出回路、高周波回路などを含む通信モジュールである。無線通信部１１１は、電子機器１００が送受信する無線信号の変復調や周波数変換を行い、受信信号を制御部１６０へ与える。
【００２４】
記憶部１４０は、例えばフラッシュメモリ等により構成され、電子機器１００が使用するデータおよびプログラムを記憶する。
【００２５】
タッチパネル１４１は、ユーザの入力操作を受け付ける。タッチパネル１４１は、例えば静電容量方式のものを用いることによってユーザの接触操作を受け付ける。タッチパネル１４１は、ユーザによる入力操作を制御部１６０へ出力する。
【００２６】
ディスプレイ１４２は、メニュー画面においてアイコンや背景画像などを表示し、アプリケーションの動作によって静止画や動画などを表示する。ディスプレイ１４２は、例えばＬＣＤ（Liquid  Crystal  Display）や有機ＥＬ（electroluminescence）ディスプレイによって実現される。
【００２７】
電源制御部１４４は、電子機器１００の各回路に対する電力の供給を制御する。電源制御部１４４は、例えば電源制御用ＩＣ（Integrated  Circuit）である。
【００２８】
バッテリ１４５は、電子機器１００の各回路を動作させるための電力を供給する供給源である。バッテリ１４５からの電力は、電源制御部１４４の制御に従って各回路へ供給される。
【００２９】
音声処理部１４６は、音声信号の変復調を行う。音声処理部１４６は、マイク１４７から与えられる信号を変調して、変調後の信号を制御部１６０へ与える。また、音声処理部１４６は、音声信号をスピーカ１４８へ与える。音声処理部１４６は、例えば音声処理用のプロセッサによって実現される。
【００３０】
マイク１４７は、ユーザによる音声入力を受け付けて、当該音声入力に対応する音声信号を音声処理部１４６へ与える。
【００３１】
スピーカ１４８は、音声処理部１４６から与えられる音声信号を音声に変換して当該音声を電子機器１００の外部へ出力する。
【００３２】
操作受付部１４９は、操作キーなどの物理的な入力装置であり、押下などのユーザの入力操作を検出し、ユーザの操作内容を示す信号を制御部１６０へ与える。
【００３３】
接触センサ部１５０は、電子機器１００の筐体の側面に配置され、配置された領域において筐体への人体の接触を検知する。グリップセンサ１５１、グリップセンサ１５２、グリップセンサ１５３およびグリップセンサ１５４は、筐体の側面に配置されて人体の接触を検知するセンサであり、例えば静電容量式のタッチセンサを用いることができる。
【００３４】
制御部１６０は、記憶部１４０に記憶される制御プログラムを読み込んで実行することにより、電子機器１００の動作を制御する。制御部１６０は、例えばアプリケーションプロセッサである。制御部１６０は、プログラムに従って動作することにより、接触検知部１６１と、動作モード設定部１６２と、表示制御部１６３としての機能を発揮する。
【００３５】
接触検知部１６１は、各グリップセンサからの人体の接触の検知結果に基づいて、電子機器１００の筐体の側面において人体が接触している範囲（面積）を算出する。
【００３６】
動作モード設定部１６２は、電子機器１００をチャイルドロックモードへ移行させるか解除するかを制御する。動作モード設定部１６２は、接触検知部１６１による人体の接触している範囲の算出結果に基づいて、電子機器１００の筐体の各側面が、同時に、各側面で一定面積以上の範囲で人体と接触しているか否か判定し、判定結果に応じて、チャイルドロックモードへの移行と、チャイルドロックモードの解除とを行う。
【００３７】
表示制御部１６３は、ディスプレイ１４２へ表示する内容に基づき映像信号を生成してディスプレイ１４２へ映像信号を出力する。
【００３８】
＜電子機器１００の筐体をユーザが把持する例＞
図３は、ユーザが電子機器１００の筐体を手で把持する例を示す図である。
【００３９】
図３（Ａ）は、大人の手で電子機器１００の筐体を把持している状態を示す。電子機器１００は、筐体の左側面のグリップセンサ１５１，１５２の出力結果と、右側面のグリップセンサ１５３，１５４の出力結果とに基づいて、ユーザの手が電子機器１００の筐体に接触している範囲を算出する。
【００４０】
図３（Ａ）に示すように、大人の手が電子機器１００の筐体に接触している場合、電子機器１００の筐体の左側面と右側面のいずれの側面においても、ユーザの手が一定面積以上触れている。例えば、電子機器１００の筐体の左側面において、全てのグリップセンサ（グリップセンサ１５１およびグリップセンサ１５２）がユーザの手の接触を検出している。この場合、電子機器１００は、大人の手が筐体に接触していると判定する。
【００４１】
図３（Ｂ）は、幼児が片手で電子機器１００の筐体を把持している状態を示す。図３（Ａ）の状態と比較すると、電子機器１００の筐体の左側面において、幼児の手がグリップセンサ１５１には触れず、グリップセンサ１５２に接触している。この場合、電子機器１００は、筐体の左側面と右側面との少なくともいずれかの側面において、一定面積以上のユーザの接触を検出していないため、大人の手ではなく幼児の手が電子機器１００の筐体に接触していると判定する。
【００４２】
図３（Ｃ）は、幼児が両手で電子機器１００の筐体を把持している状態を示す。図３（Ａ）の状態と比較すると、筐体の左側面において幼児の手がグリップセンサ１５１に接触せずグリップセンサ１５２に接触し、右側面において幼児の手がグリップセンサ１５３に接触せずグリップセンサ１５４に接触している。この場合、電子機器１００は、筐体の左側面と右側面との少なくともいずれかの側面において、一定面積以上のユーザの接触を検出していないため、大人の手ではなく幼児の手が電子機器１００の筐体に接触していると判定する。
【００４３】
＜チャイルドロックの解除動作＞
図４は、電子機器１００が各グリップセンサの出力結果に基づきチャイルドロックモードの解除を行う処理を示すフローチャートである。
【００４４】
ステップＳ４０１において、電子機器１００の制御部１６０は、チャイルドロック機能を発揮させるためのユーザの入力操作を検知して、電子機器１００をチャイルドロックモードへ移行させる。
【００４５】
ステップＳ４０５において、制御部１６０は、各グリップセンサの出力結果を受け付けて、ユーザが各グリップセンサに接触している範囲を取得する。
【００４６】
ステップＳ４０９において、制御部１６０は、ユーザが各グリップセンサに接触している範囲の算出結果を受けて、電子機器１００の筐体のいずれの側面においても、ユーザの指が一定面積以上接触しているか否かを判定する。電子機器１００の筐体の各側面のいずれの側面においても、ユーザの手が一定面積以上触れていると判定される場合は（ステップＳ４０９においてＹＥＳ）、制御部１６０はステップＳ４１３の処理を行い、そうでない場合は（ステップＳ４０９においてＮＯ）、ステップＳ４０５の処理を行う。
【００４７】
ステップＳ４１３において、制御部１６０は、チャイルドロックモードを解除して、入力操作の制限を解除する。
【００４８】
このように、電子機器１００は、幼児が電子機器１００の筐体を把持していると判定した場合はチャイルドロックモードを解除せず、大人が電子機器１００の筐体を把持していると判定した場合は、チャイルドロックモードを解除して通常の使用が可能な状態とする。
【００４９】
＜電子機器１００の筐体の把持時に入力操作を受け付けてロック解除＞
図５は、電子機器１００が入力操作を受け付けた場合にチャイルドロックを解除するか否かを制御する処理を示すフローチャートである。
【００５０】
ステップＳ４０１において、電子機器１００の制御部１６０は、チャイルドロック機能を発揮させるためのユーザの入力操作を検知して、電子機器１００をチャイルドロックモードへ移行させる。
【００５１】
ステップＳ５０１において、制御部１６０は、タッチパネル１４１、操作受付部１４９等の入力手段への入力操作を取得する。
【００５２】
ステップＳ５０３において、制御部１６０は、ステップＳ５０１で取得した入力操作が、電子機器１００への入力操作の制限を解除するための操作であるか否かを判定する。入力操作の制限を解除するための操作である場合（ステップＳ５０３においてＹＥＳ）、制御部１６０は、ステップＳ４０５の処理を行い、そうでない場合（ステップＳ５０３においてＮＯ）、制御部１６０はステップＳ５０１の処理を繰り返す。
【００５３】
ステップＳ４０５において、制御部１６０は、各グリップセンサの出力結果を受け付けて、ユーザが各グリップセンサに接触している範囲を取得する。
【００５４】
ステップＳ４０９において、制御部１６０は、ユーザが各グリップセンサに接触している範囲の算出結果を受けて、電子機器１００の筐体のいずれの側面においても、ユーザの指が一定面積以上接触しているか否かを判定する。電子機器１００の筐体の各側面のいずれの側面においても、ユーザの手が一定面積以上触れていると判定される場合は（ステップＳ４０９においてＹＥＳ）、制御部１６０はステップＳ４１３の処理を行い、そうでない場合は（ステップＳ４０９においてＮＯ）、ステップＳ５０１の処理を行う。
【００５５】
なお、ステップＳ５０１およびステップＳ５０３の処理の組と、ステップＳ４０５およびステップＳ４０９の処理の組とを入れ替えてもよい。
【００５６】
ステップＳ５０３の処理において、電子機器１００の入力操作の制限を解除するための操作は、例えば特定のボタンへの入力操作があったか、また、タッチパネル１４１において所定の軌跡を描く入力操作があったか否か等である。幼児が仮に電子機器１００の筐体の各側面のグリップセンサを一定面積以上把持したとしても、この把持した状態から電子機器１００の入力操作の制限を解除するための操作を行うことが困難であれば、幼児にチャイルドロック機能を解除させないようにすることができる。すなわち、電子機器１００の入力操作の制限を解除するための操作を複雑にせずとも、幼児にチャイルドロック機能の解除をされにくい電子機器１００を実現することができる。
【００５７】
＜電子機器１００の筐体の把持時に通常の入力操作も可能とする例＞
図６は、電子機器１００が把持された状態で入力操作を受け付けた場合に、操作内容に応じて通常の入力操作に応じた処理またはチャイルドロックを解除する処理を行うフローチャートである。
【００５８】
ステップＳ４０１において、電子機器１００の制御部１６０は、チャイルドロック機能を発揮させるためのユーザの入力操作を検知して、電子機器１００をチャイルドロックモードへ移行させる。
【００５９】
ステップＳ４０５において、制御部１６０は、各グリップセンサの出力結果を受け付けて、ユーザが各グリップセンサに接触している範囲を取得する。
【００６０】
ステップＳ４０９において、制御部１６０は、ユーザが各グリップセンサに接触している範囲の算出結果を受けて、電子機器１００の筐体のいずれの側面においても、ユーザの指が一定面積以上接触しているか否かを判定する。電子機器１００の筐体の各側面のいずれの側面においても、ユーザの手が一定面積以上触れていると判定される場合は（ステップＳ４０９においてＹＥＳ）、制御部１６０はステップＳ５０１の処理を行い、そうでない場合は（ステップＳ４０９においてＮＯ）、ステップＳ４０５の処理を行う。
【００６１】
ステップＳ５０１において、制御部１６０は、タッチパネル１４１、操作受付部１４９等の入力手段への入力操作を取得する。
【００６２】
ステップＳ５０３において、制御部１６０は、ステップＳ５０１で取得した入力操作が、電子機器１００への入力操作の制限を解除するための操作であるか否かを判定する。入力操作の制限を解除するための操作である場合（ステップＳ５０３においてＹＥＳ）、制御部１６０は、ステップＳ４１３の処理を行い、そうでない場合（ステップＳ５０３においてＮＯ）、制御部１６０はステップＳ６０１の処理を行う。
【００６３】
ステップＳ６０１において、制御部１６０は、タッチパネル１４１、操作受付部１４９等の入力手段への入力操作（任意のボタンへの入力操作、タッチパネル１４１への入力操作など）を検出したか否かを判定し、入力操作を検出した場合は（ステップＳ６０１においてＹＥＳ）、ステップＳ６０２の処理を行い、そうでない場合は（ステップＳ６０１においてＮＯ）、ステップＳ４０５の処理を行う。
【００６４】
ステップＳ６０２において、制御部１６０は、入力手段への入力操作に応じた処理を行う。
【００６５】
ステップＳ４１３において、制御部１６０は、チャイルドロックモードを解除して、入力操作の制限を解除する。
【００６６】
なお、ステップＳ５０３の処理と、ステップＳ６０１の処理の都度、ユーザが各グリップセンサに接触している範囲の算出結果を受けて、電子機器１００のいずれの側面においても、ユーザの指が一定面積以上接触しているか否かを判定し、一定面積以上接触している場合にステップＳ５０３がＹＥＳのときはステップＳ４１３の処理を、ステップＳ６０１がＹＥＳのときはステップＳ６０２の処理を行い、そうでない場合にステップＳ５０１の処理を繰り返すこととしてもよい。
【００６７】
これにより、大人のユーザが電子機器１００の筐体を把持している間は、電子機器１００は、入力操作の制限を解除する操作（例えば解除用のボタンの押下）がなされる都度、チャイルドロックモードを解除することに加え、入力操作の制限を解除する操作以外の任意の操作（ボタン入力／タッチパネル１４１へのタッチ操作）を受け付けて、操作内容に応じた動作をすることができる。
【００６８】
＜まとめ＞
実施の形態で説明した電子機器１００によると、チャイルドロック機能を備えつつ、各グリップセンサの出力結果に応じて使用者が大人であるか幼児であるかを判定するため、ユーザが例えば頻繁にチャイルドロック機能の使用と解除とを繰り返す場合に、使用者の煩わしさを軽減することができる。また、入力操作の制限を解除するための操作を複雑にせずとも、さらに幼児に解除されにくいチャイルドロック機能をユーザに提供することができる。また、電子機器１００において、誤ってチャイルドロック機能が設定されるおそれも小さく、予め煩雑な設定を要することなくチャイルドロック機能をユーザに利用させることができる。
【００６９】
本発明の電子機器は、プロセッサと、その上で実行されるプログラムにより実現される。本発明を実現するプログラムは、通信インタフェースを介してネットワークを利用した送受信等により提供される。
【００７０】
今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【符号の説明】
【００７１】
１００  電子機器、１４１  タッチパネル、１４２  ディスプレイ、１４８  スピーカ、１４９  操作受付部、１５１，１５２，１５３，１５４  グリップセンサ、１６０  制御部。
【図１】
2015156553.tif 000003
【図２】
2015156553.tif 000004
【図３】
2015156553.tif 000005
【図４】
2015156553.tif 000006
【図５】
2015156553.tif 000007
【図６】
2015156553.tif 000008